(57)【要約】【課題】門扉を開閉の途中でもロックすることができると共に、そのロックおよびロック解除の操作の容易な門扉のロック装置を提供することである。【解決手段】門扉２の戸先側に支持枠１１を取付け、その支持枠１１に支持された外筒１５内にスライド可能な内筒１７と、スプリング１８とを組込み、内筒１７の上端部に解除摘み１７ａを取付ける。内筒１７内にロッド２０を挿通し、そのロッド２０をリターンスプリング２５で上向きに付勢し、ロッド２０の上端に操作摘み２０ａを取付ける。外筒１５の内周にテーパ面２６を設け、内筒１７には半径方向の貫通孔２８を形成してボール２９を組み込む。操作摘み２０ａを押し下げ、下降するロッド２０の下端を地面に圧接させて門扉２をロックし、ロッド２０の外周面およびテーパ面２６に対するボール２９の噛み込みによりロッド２０をロックする。解除摘み１７ａの押し下げにより内筒１７を下降させてロッド２０のロックを解除する。【選択図】図３
2005188097.tif 000002
【特許請求の範囲】
【請求項１】
門扉の戸先側に取付けられる支持枠と、その支持枠に両端が上下となるよう支持された外筒と、その外筒内にスライド自在に挿入され、外筒の上端より外部に臨む端部に解除摘みが取付けられた内筒と、その内筒内にスライド自在に挿通され、上端部に操作摘みが取付けられたロッドと、そのロッドを上向きに付勢するリターンスプリングとを有し、前記外筒の内周に上端を小径とするテーパ面を設け、前記内筒にはそのテーパ面と対応する位置に半径方向の貫通孔を形成し、その貫通孔にボールを組込み、前記内筒をスプリングにより上向きに付勢した門扉のロック装置。
【請求項２】
前記支持枠に、解除摘みおよび操作摘みをスライド自在に案内するガイド孔を形成した請求項１に記載の門扉のロック装置。
【発明の詳細な説明】
【技術分野】
【０００１】
この発明は、主として、伸縮開閉式門扉のロック装置に関するものである。
【背景技術】
【０００２】
地面より起立する対設配置の門柱間を伸縮開閉式の門扉によって開閉するようにした門の開閉装置においては、普通、門扉を閉鎖状態でロックすることが行なわれている。
【０００３】
上記のような門扉のロック装置として、門扉の戸先側における開閉操作用縦棧の屋内側に落し棒を昇降自在に設け、その落し棒を下降させて下端部を地面に埋設されたつぼ受けに挿入するようにしたものが従来から知られている。
【発明の開示】
【発明が解決しようとする課題】
【０００４】
ところで、落し棒の下端部をつぼ受けに挿入する門扉のロック装置においては、門扉を閉じた状態において、落し棒と対応する位置につぼ受けを固定する必要があるため、施工に手間がかかり、しかもつぼ受けに対する落し棒の落し込みが門扉の全閉位置であるため、門扉を開閉の途中においてロックすることができないという不都合がある。
【０００５】
この発明の課題は、門扉を開閉の途中の状態でもロックすることができると共に、そのロックおよびロック解除の操作が容易な門扉のロック装置を提供することである。
【課題を解決するための手段】
【０００６】
上記の課題を解決するために、この発明においては、門扉の戸先側に取付けられる支持枠と、その支持枠に両端が上下となるよう支持された外筒と、その外筒内にスライド自在に挿入され、外筒の上端より外部に臨む端部に解除摘みが取付けられた内筒と、その内筒内にスライド自在に挿通され、上端部に操作摘みが取付けられたロッドと、そのロッドを上向きに付勢するリターンスプリングとを有し、前記外筒の内周に上端を小径とするテーパ面を設け、前記内筒にはそのテーパ面と対応する位置に半径方向の貫通孔を形成し、その貫通孔にボールを組込み、前記内筒をスプリングにより上向きに付勢した構成を採用したのである。
【０００７】
上記の構成から成る門扉のロック装置において、ロックおよびロック解除の操作性を高めるために、支持枠に解除摘みおよび操作摘みをスライド自在に案内するガイド孔を設けておくのが好ましい。
【発明の効果】
【０００８】
上記の構成から成る門扉のロック装置においては、操作摘みの押し下げによりロッドを下降させ、そのロッドの下端が地面に当接する状態で操作摘みの押し下げを解除すると、ボールがテーパ面とロッドの外周面に噛み込み、その噛み込みによってロッドは地面に当接する状態に保持されるため、門扉を開閉の途中の状態でもロックすることができる。
【０００９】
また、解除摘みを押し下げて内筒を下降させると、ボールはテーパ面の大径側に移動してロッドの外周面に対する噛み込みが解除されるため、リターンスプリングのばね力によりロッドが上方向に移動することになる。このように、操作摘みの押し下げにより門扉をロックすることができ、解除摘みを押し下げることにより門扉のロックが解除されるため、門扉をきわめて簡単にロックおよびロック解除することができる。
【００１０】
さらに、ロッドをスライド範囲の任意の位置で門扉をロックすることができるため、門扉の戸先側に対する支持枠の取付けに制約を受けることが殆んどなく、支持枠の取付けが容易である。
【発明を実施するための最良の形態】
【００１１】
以下、この発明の実施の形態を図面に基づいて説明する。図１は、一方向に傾斜する地面Ａに一対の門柱１を立設し、その門柱１間に伸縮開閉式の片開きの門扉２を設けた門の開閉装置を示し、上記門扉２の戸先側の開閉操作用縦棧２ａの屋内側にこの発明に係るロック装置１０が取付けられている。
【００１２】
ここで、開閉操作用縦棧２ａの屋内側面には、図２乃至図４に示すように上下方向に延びる取付け溝３が形成され、その取付け溝３の開口部における両側面にはリブ４が対向位置に設けられている。
【００１３】
ロック装置１０は、支持枠１１を有している。支持枠１１は、図５に示すように、細長い支持板１１ａの上下両端に折曲片１１ｂを設けた構成とされ、上記支持板１１ａは、図２乃至図４に示すように、縦棧２ａの取付け溝３に嵌合されてリブ４に当接される。一方、リブ４の背面側には裏板１２が当接され、この裏板１２と支持板１１ａは、支持板１１ａの表面側から裏板１２にねじ込まれる複数のビス１３の締付けによってリブ４を表裏から挾持する取付けとされている。
【００１４】
裏板１２の下端には支持片１２ａが設けられ、その支持片１２ａにロッド挿入孔１４が形成されている。
【００１５】
図３に示すように、支持枠１１の下部折曲片１１ｂには外筒１５の下端が支持され、上記下部折曲片１１ｂの下方から外筒１５の下端部にねじ込まれるブッシュ１６の締付けによって外筒１５が下部折曲片１１ｂに取付けられている。
【００１６】
外筒１５内には、スライド可能な内筒１７と、その内筒１７を上向きに付勢するスプリング１８とが組込まれている。内筒１７の上部は外筒１５の上端より外部に露出し、その内筒１７の上部に取付けた解除摘み１７ａは支持板１１ａに形成されたガイド孔１９に沿って移動自在とされている。
【００１７】
内筒１７内にはロッド２０がスライド自在に挿通されている。ロッド２０は裏板１２の支持片１２ａに形成された前記ロッド挿入孔１４にスライド自在に挿通され、上端部に取付けた操作摘み２０ａが支持枠１１の支持板１１ａおよび裏板１２のそれぞれに形成された上下方向に長いガイド孔２２に沿って移動自在とされている。
【００１８】
図２に示すように、縦棧２ａの下部にはストッパ２３が取付けられ、上記ロッド２０はそのストッパ２３の下端に設けられた図示省略の折曲片をスライド自在に貫通し、その下端にパッド２４が取付けられている。
【００１９】
図３に示すように、操作摘み２０ａと裏板１２の支持片１２ａ間にはリターンスプリング２５が組込まれ、このリターンスプリング２５はロッド２０を上向きに付勢している。
【００２０】
外筒１５の内周には上部を小径端とするテーパ面２６が設けられ、一方、内筒１７の外周には上記テーパ面２６に適合するテーパ面２７が形成されている。
【００２１】
内筒１７のテーパ面２７には半径方向の貫通孔２８が設けられ、その貫通孔２８内にボール２９が組込まれている。ボール２９は、スプリング１８の押圧による内筒１７の上方向への移動時に外筒１５のテーパ面２６およびロッド２０の外周面に噛み込んでロッド２０をロックし、解除摘み１７ａの押し下げによる内筒１７の下方向への移動によりテーパ面２６の大径側に移動してロッド２０のロックを解除するようになっている。
【００２２】
実施の形態で示す門扉のロック装置は上記の構造から成り、門扉２のロックに際しては、リターンスプリング２５の弾性に抗して操作摘み２０ａを押し下げ、ロッド２０の下降により下端のパッド２４を地面に押し付ける。
【００２３】
上記のような門扉２のロック操作において、ロッド２０の外周面に対するボール２９の噛み込みが強い場合、内筒１７はロッド２０と共に下降し、その下降によってボール２９は外筒１５に形成されたテーパ面２６の大径側に移動してロッド２０のロックを解除するため、ロッド２０を下方向にスムーズに移動させることができる。
【００２４】
パッド２４を地面Ａに押し付けたのち、操作摘み２０ａの押圧を解除すると、スプリング１８の押圧により内筒１７が上方向に移動し、ボール２９は外筒１５のテーパ面２６に対する接触により内筒１７の半径方向内方に移動して、外筒１５のテーパ面２６およびロッド２０の外周面に噛み込む。その噛み込みによってロッド２０は下端のパッド２４が地面Ａに圧接された状態に保持され、門扉２は地面Ａに対するパッド２４の圧接によりロック状態に保持される。
【００２５】
門扉２のロック解除に際しては、解除摘み１７ａの押し下げにより内筒１７を下降させる。その内筒１７の下降により、ボール２９は外筒１５に形成されたテーパ面２６の大径側に移動するため、ロッド２０の外周面に対するボール２９の噛み込みが解除され、ロッド２０はリターンスプリング２５の押圧により上方向に移動し、パッド２４が地面Ａから離反することによって門扉２のロックが解除される。
【００２６】
上記のように、操作摘み２０ａを押し下げることによって門扉２をロックすることができると共に、解除摘み１７ａを押し下げることによりロックを解除することができるため、門扉２のロックおよびロック解除を容易に行なうことができる。
【００２７】
また、ロッド２０の下端のパッド２４を地面に圧接して門扉２をロックするため、門扉２を開閉の途中の状態でもロックすることができると共に、地面Ａが傾斜している場合でも門扉２をロックすることができる。
【００２８】
なお、パッド２４を省略して、ロッド２０の下端面を地面Ａに圧接させるようにしてもよい。
【図面の簡単な説明】
【００２９】
【図１】この発明に係る門扉ロック装置の実施形態を示す正面図
【図２】図１に示す門扉の戸先側部分を拡大して示す正面図
【図３】図２のIII −III 線に沿った断面図
【図４】図２のIV−IV線に沿った断面図
【図５】ロック装置の分解斜視図
【符号の説明】
【００３０】
２      門扉
１１    支持枠
１５    外筒
１７    内筒
１７ａ  解除摘み
１８    スプリング
１９    ガイド孔
２０    ロッド
２０ａ  操作摘み
２２    ガイド孔
２５    リターンスプリング
２６    テーパ面
２８    貫通孔
２９    ボール
【図１】
2005188097.tif 000003
【図２】
2005188097.tif 000004
【図３】
2005188097.tif 000005
【図４】
2005188097.tif 000006
【図５】
2005188097.tif 000007